【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
送電器の少なくとも一つの送電インダクタによって生成される無線誘導電力信号を介して複数の受電器へ電力伝送を供給するように構成される送電器を含む無線電力伝送システムであって、
前記送電器が、
データメッセージを受信するための受信器であって、前記データメッセージは前記複数の受電器のうち少なくとも一つによって前記無線誘導電力信号上に負荷変調される、受信器と、
ブロードキャスト通信チャネルでブロードキャストするためのブロードキャスト送信器とを有し、
前記複数の受電器の各々が、
前記無線誘導電力信号の負荷変調によって前記送電器へデータメッセージを送信するための送信器を有し、
前記送電器が、前記ブロードキャスト通信チャネルで第一の表示をブロードキャストするように構成される通信コントローラを有し、前記第一の表示は、前記無線誘導電力信号が、前記無線誘導電力信号の負荷変調による前記複数の受電器のうちの受電器からのデータメッセージの通信のために時間間隔において利用可能であることを示し、
前記複数の受電器のうち少なくとも第一の受電器が、
前記ブロードキャスト通信チャネルで前記送電器から第一の表示を受信するためのブロードキャスト受信器と、
前記第一の表示によって示される時間間隔に対応するようにデータメッセージの送信のタイミングを制御することによって、データメッセージの送信を受信した第一の表示と合わせるように構成される送信コントローラとを有する、
無線電力伝送システム。
【請求項２】
前記送電器が、前記複数の受電器の各々へ一時的アイデンティティを割り当てるためのアイデンティティコントローラをさらに有し、前記一時的アイデンティティは前記複数の受電器の異なる受電器によって異なり、
前記複数の受電器の各々が、前記送電器へ送信される電力フィードバックメッセージに割り当てられた一時的アイデンティティを含むように構成され、
前記送電器が、受信した電力フィードバックメッセージの一時的アイデンティティを用いて前記複数の受電器の少なくとも一つの受電器について受信電力推定を決定するための電力推定器を有する、
請求項１に記載の無線電力伝送システム。
【請求項３】
送電器の少なくとも一つの送電インダクタによって生成される無線誘導電力信号を介して前記送電器から電力を受信するように構成される複数の受電器を含む無線電力伝送システムのための送電器であって、
前記複数の受電器のうち少なくとも一つによって前記無線誘導電力信号上に負荷変調されるデータメッセージを受信するための受信器と、
ブロードキャスト通信チャネルでブロードキャストするためのブロードキャスト送信器と、
前記ブロードキャスト通信チャネルで第一の表示をブロードキャストするように構成される通信コントローラであって、前記第一の表示は、前記無線誘導電力信号が、前記無線誘導電力信号の負荷変調による前記複数の受電器のうちの受電器からのデータメッセージの通信のために時間間隔において利用可能であることを示す、通信コントローラと
を有する、送電器。
【請求項４】
前記送電器が、タイムフレームの異なるタイムスロットにおいて異なる動作モードで動作するように構成され、前記送電器が、前記タイムフレームの第一のタイムスロットにおいて第一の動作モードにあるとき、前記無線誘導電力信号の負荷変調が検出されない場合に少なくとも一つの第一の表示を送信するように構成され、前記タイムフレームの第二のタイムスロットにおいて第二の動作モードにあるとき、第一の表示を送信しないように構成される、請求項３に記載の送電器。
【請求項５】
前記送電器が受電器から受信されるデータメッセージの送信のタイミングに前記タイムフレームを同期させるように構成される、請求項４に記載の送電器。
【請求項６】
前記送電器が受電器から受信される電力制御ループメッセージの送信のタイミングに前記タイムフレームを同期させるように構成される、請求項４に記載の送電器。
【請求項７】
前記通信コントローラが、前記第一のタイムスロットの終わりの既定時間間隔内に第一の表示が送信されることを回避するように構成される、請求項４に記載の送電器。
【請求項８】
前記送電器が、前記送電器から電力を受信する全受電器が第一の表示によって示される時間間隔に対応するようにデータメッセージの送信のタイミングを制御するように構成されることを示す受電器構成データを受信することに応答して、前記第二の動作モードで動作しないように構成される、請求項４に記載の送電器。
【請求項９】
前記通信コントローラが、前記無線誘導電力信号上の既定データシンボルパターンを変調することによって第一の表示をブロードキャストするように構成される、請求項３に記載の送電器。
【請求項１０】
前記既定データシンボルパターンがバイナリデータシンボルの交互パターンである、請求項３に記載の送電器。
【請求項１１】
送電器の少なくとも一つの送電インダクタによって生成される無線誘導電力信号を介して複数の受電器へ電力伝送を提供するように構成される送電器を含む無線電力伝送システムのための受電器であって、
前記無線誘導電力信号の負荷変調によって前記送電器へデータメッセージを送信するための送信器と、
ブロードキャスト通信チャネルで前記送電器から第一の表示を受信するためのブロードキャスト受信器であって、第一の表示は前記無線誘導電力信号が時間間隔において負荷変調のために利用可能であることを示す、ブロードキャスト受信器と、
第一の表示によって示される時間間隔に対応するようにデータメッセージの送信のタイミングを制御することによって、データメッセージの送信を受信した第一の表示と合わせるように構成される送信コントローラと
を有する、受電器。
【請求項１２】
前記送信コントローラが、データメッセージの送信の開始を第一の表示を受信する時間間隔内に制御するように構成される、請求項１１に記載の受電器。
【請求項１３】
前記送信コントローラが、第一の表示が受信されているときのみ少なくとも一つのタイプのデータメッセージの送信を開始するように構成される、請求項１１に記載の受電器。
【請求項１４】
送電器の少なくとも一つの送電インダクタによって生成される無線誘導電力信号を介して複数の受電器へ電力伝送を提供するように構成される送電器を含む無線電力伝送システムのための動作方法であって、
前記送電器がデータメッセージを受信するステップであって、前記データメッセージは前記複数の受電器の少なくとも一つによって前記無線誘導電力信号上に負荷変調される、ステップと、
前記送電器がブロードキャスト通信チャネルでブロードキャストするステップと、
前記複数の受電器の各々が前記無線誘導電力の負荷変調によって前記送電器へデータメッセージを送信するステップと、
前記送電器が前記ブロードキャスト通信チャネルで第一の表示をブロードキャストするステップであって、第一の表示は、前記無線誘導電力信号が、前記無線誘導電力信号の負荷変調による前記複数の受電器のうちの受電器からのデータメッセージの通信のために時間間隔において利用可能であることを示す、ステップと、
前記複数の受電器のうち少なくとも第一の受電器が前記ブロードキャスト通信チャネルで前記送電器から第一の表示を受信するステップと、
前記第一の受電器が、第一の表示によって示される時間間隔に対応するようにデータメッセージの送信のタイミングを制御することによって、データメッセージの送信を受信した第一の表示と合わせるステップと
を有する、方法。
【請求項１５】
送電器の少なくとも一つの送電インダクタによって生成される無線誘導電力信号を介して前記送電器から電力を受信するように構成される複数の受電器を含む無線電力伝送システム用の送電器のための動作方法であって、
前記複数の受電器の少なくとも一つによって前記無線誘導電力信号上に負荷変調されるデータメッセージを受信するステップと、
ブロードキャスト通信チャネルで第一の表示をブロードキャストするステップであって、第一の表示は、前記無線誘導電力信号が、前記無線誘導電力信号の負荷変調による前記複数の受電器のうちの受電器からのデータメッセージの通信のために時間間隔において利用可能であることを示す、ステップと
を有する、方法。
【請求項１６】
送電器の少なくとも一つの送電インダクタによって生成される無線誘導電力信号を介して複数の受電器へ電力伝送を提供するように構成される送電器を含む無線電力伝送システム用の受電器のための動作方法であって、
前記無線誘導電力信号の負荷変調によって前記送電器へデータメッセージを送信するステップと、
ブロードキャスト通信チャネルで前記送電器から第一の表示を受信するステップであって、第一の表示は、前記無線誘導電力信号が時間間隔において負荷変調のために利用可能であることを示す、ステップと、
第一の表示によって示される時間間隔に対応するようにデータメッセージの送信のタイミングを制御することによって、データメッセージの送信を受信した第一の表示と合わせるステップと
を有する、方法。